(57)【要約】【課題】デジタル放送受信装置において、正受信比率が１００［％］でない場合に、ユーザ個々の好みに応じたデジタル放送の視聴を可能とする。【解決手段】正受信比率ＣＲの閾値ＴＨをユーザが外部より設定可能な閾値設定ダイヤルを設けている。正受信率が１００［％］未満の不安定な受信状況となったときに、受信信号による動画映像を出力するか、ブルーバック画等の静止画映像を出力するかについて、閾値ＴＨを変更することで設定することができ、ユーザの好み（ブロックノイズが載っても動画を見たいあるいはブロックノイズが載っているときには直近の高品位の静止画を見たい等）に応じた視聴が可能となる。【選択図】図７
2006295663.tif 000002
【特許請求の範囲】
【請求項１】
表示装置に接続して利用されるデジタル放送受信装置において、
デジタル放送を受信して復調した受信信号の受信品位値を検出する受信品位値検出手段と、
前記表示装置へ前記受信信号を出力するかどうかの閾値をユーザが設定可能な閾値設定手段と、
前記受信品位値検出手段により検出された前記受信品位値が前記閾値を上回る値である場合には、前記受信信号を前記表示装置へ出力する表示制御手段とを
備えることを特徴とするデジタル放送受信装置。
【請求項２】
請求項１記載のデジタル放送受信装置において、
さらに、予め前記閾値に応じた映像例を複数格納する映像例格納手段を有し、
前記表示制御手段は、前記ユーザの前記閾値設定手段の操作に関連して、前記映像例に対応する映像信号を出力する
ことを特徴とするデジタル放送受信装置。
【請求項３】
請求項１記載のデジタル放送受信装置において、
前記表示制御手段は、
前記閾値設定手段により設定された閾値を、前記受信信号の出力比率｛受信信号出力時間／全受信時間｝が所定比率となるように自動調整する
ことを特徴とするデジタル放送受信装置。
【請求項４】
請求項３記載のデジタル放送受信装置において、
さらに、前記受信信号の出力比率をユーザが設定可能な受信信号表示率設定手段を備える
ことを特徴とするデジタル放送受信装置。
【請求項５】
請求項１〜４のいずれか１項に記載のデジタル放送受信装置において、
前記表示制御手段は、前記受信品位値が前記閾値を下回る値である場合には、前記受信信号を構成する静止画信号又は所定の一色からなる所定映像信号を出力する
ことを特徴とするデジタル放送受信装置。
【請求項６】
請求項１〜５のいずれか１項に記載のデジタル放送受信装置が搭載された
移動体。
【発明の詳細な説明】
【技術分野】
【０００１】
この発明は、例えば地上デジタルテレビ放送を受信するデジタル放送受信装置及びこのデジタル放送受信装置が搭載された移動体に関する。
【背景技術】
【０００２】
従来から、車両等の移動体におけるデジタル放送の視聴に関し、デジタル放送用の複数のアンテナで受信された放送波の入力に対して、受信レベルや誤り率等に応じて各アンテナからの受信入力を合成したり、最適な受信入力を有するアンテナを選択するなどして正受信率（エラーなしにデータを受信できた率）の向上を図る研究がなされている（特許文献１参照）。
【０００３】
このようなデジタル放送の受信装置において、受信電力が閾値以下である場合には、高周波増幅回路等への電力の供給を停止して、低消費電力化を図る携帯受信機も提案されている（特許文献２参照）。
【０００４】
また、デジタルオーディオ受信機において、受信信号レベルに対して閾値を設け、この閾値を可変することで、周波数サーチを始めてからオーディオ信号が再生されるまでの時間を短縮するデジタル放送受信機が提案されている（特許文献３参照）。
【０００５】
【特許文献１】特開２００３−２８３４０５号公報（［要約］）
【特許文献２】特開２００３−２５８６６０号公報（［要約］）
【特許文献３】特開２００１−３４５７２４号公報（［要約］）
【発明の開示】
【発明が解決しようとする課題】
【０００６】
近時、高精細表示装置を車両のリア席用として備えたエンタテインメントシステムが提案され、これにより移動時におけるデジタル放送の視聴の環境が整いつつある。
【０００７】
移動体では、放送波の伝搬環境に応じて受信状況が時々刻々変化する。そして、受信状況が不安定な状況となった場合には、映像にブロックノイズが載り、映像が劣化したり、全く、映像を確認することができない状況となる場合もある。
【０００８】
ところで、受信状況が不安定な状況となった場合におけるユーザの許容範囲は、様々であり、例えば少々のノイズが重畳されていても受信信号の動画映像を連続して視聴することを望むユーザも存在すれば、少しでもノイズが重畳されるのであれば、前フレームの静止画映像を好むユーザも存在し、また、ノイズが重畳される際には、いわゆるブルーバック画を好むユーザも存在することが分かった。
【０００９】
この発明は、このような課題を考慮してなされたものであり、受信状況が不安定な状況となったときに、ユーザ個々の好みに応じた視聴を可能とするデジタル放送受信装置及びこのデジタル放送受信装置が搭載された移動体を提供することを目的とする。
【課題を解決するための手段】
【００１０】
この発明に係るデジタル放送受信装置は、表示装置に接続して利用されるデジタル放送受信装置において、デジタル放送を受信して復調した受信信号の受信品位値を検出する受信品位値検出手段と、前記表示装置へ前記受信信号を出力するかどうかの閾値をユーザが設定可能な閾値設定手段と、前記受信品位値検出手段により検出された前記受信品位値が前記閾値を上回る値である場合には、前記受信信号を前記表示装置へ出力する表示制御手段とを備えることを特徴とする。
【００１１】
この発明によれば、受信品位値が閾値を上回ったときに表示装置へ受信信号を出力する前記閾値をユーザが設定可能な閾値設定手段を設けているので、ユーザの好みに応じた品位の映像を見ることができる。
【００１２】
この場合、さらに、予め前記閾値に応じた映像例を複数格納する映像例格納手段を有し、表示制御手段が、ユーザの閾値設定手段の操作に関連して、映像例に対応する映像信号を出力するように構成することで、その映像例をユーザが見て確認することで、ユーザの好みに応じた品位に適合する映像を出力するための閾値を容易に設定（決定）することができる。
【００１３】
また、表示制御手段は、閾値設定手段により設定された閾値を、受信信号の出力比率｛受信信号出力時間／全受信時間｝が所定比率となるように自動調整するに制御することで、受信品位値が変動した場合においても、一定の出力比率で受信信号を見ることができる。
【００１４】
なお、受信信号が、映像による動画信号である場合、受信信号の出力比率は、動画表示率＝動画表示時間／全受信時間になる。
【００１５】
前記受信信号の出力比率をユーザが設定可能な受信信号表示率設定手段を備えることで、よりユーザ個々のニーズに応えることができる。
【００１６】
表示制御手段は、受信品位値が閾値を下回る値である場合には、受信信号を構成する静止画信号又は所定の一色からなる所定映像信号を出力するようにすることもできる。
【００１７】
この発明に係るデジタル放送受信装置は、移動体に搭載して使用される。すなわち、この発明に係る移動体は、前述のデジタル放送受信装置のいずれかを備える。移動体は、車両、船、水陸両用車、プレジャーボート、ヘリコプタ、飛行機等とすることができる。
【発明の効果】
【００１８】
この発明によれば、受信状況が不安定な状況となったとき、受信品位値が閾値を上回ったときにのみ表示装置へ受信信号を出力する前記閾値をユーザが設定可能に構成しているので、ユーザ個々の好みに応じた視聴が可能になる。
【発明を実施するための最良の形態】
【００１９】
以下、この発明に係るデジタル放送受信装置及びこのデジタル放送受信装置を備える移動体について好適な実施の形態を挙げ、添付の図面を参照しながら説明する。
【００２０】
図１は、この実施形態に係るデジタル放送受信装置２０を搭載した移動体としての車両１０の概略的な平面構成図を示している。
【００２１】
図２は、車両１０に搭載されたデジタル放送受信装置２０のブロック図を示している。
【００２２】
デジタル放送受信装置２０は、デジタル放送受信機２２を有し、このデジタル放送受信機２２には、地上デジタル放送受波用の複数のデジタル放送アンテナ２４が接続されている。このデジタル放送アンテナ２４は、図１に示すように、車両１０の両リアクオーターガラスに複数配置されているが、この発明を理解する上では、繁雑となるので図２に示すように、デジタル放送アンテナ２４として説明する。
【００２３】
図２に示すように、デジタル放送受信機２２は、受信した放送波をデジタル信号の信号列（トランスポートストリーム）に復調するＯＦＤＭ（Orthogonal Frequency Division Multiplexing）復調部３２と、復調された信号列の誤りを訂正して訂正後の信号列を出力するとともに、エラーなしにデータを受信できた率を表す正受信率ＣＲを出力する誤り訂正部（受信品位置検出手段）３４と、訂正後の信号列を映像音声信号に復調（復号）するＭＰＥＧ復調部３６と、復調された映像音声信号を処理し映像信号と音声信号を出力する映像音声処理部（表示制御手段）３８を備える。
【００２４】
なお、誤り訂正部３４は、受信品位値検出手段としても機能するが、受信品位値としては、正受信率ＣＲの他、ビットエラーレート等の誤り率としてもよい。
【００２５】
ＭＰＥＧ復調部３６には、後述する閾値ＴＨに応じた映像例を映像信号として複数格納する映像サンプルメモリ（映像例格納手段）４４と、ノイズなく正しく復調されたフレームの最新映像の静止画を格納するように更新される最新映像メモリ（最新静止画格納手段）４５が接続されている。映像サンプルメモリ４４及び最新映像メモリ４５に格納されている映像信号は、後述する所定の条件が成立したときに映像音声処理部３８により読み出され、ＭＰＥＧ復調部３６で復調され、映像音声処理部３８にサンプル映像信号（動画も含まれる。）あるいは最新映像信号として供給されるようになっている。なお、映像音声処理部３８は、青一色の画である、いわゆるブルバック画の映像信号を出力する機能も有する。
【００２６】
映像音声処理部３８には、さらに、ユーザによるダイヤル操作により閾値ＴＨの設定を変更可能な閾値設定ダイヤル（閾値設定手段）４６と、ユーザによりチャンネル（番組）を選択するためのチャンネル選択ボタン（番組選択手段）４８と、設定された閾値ＴＨを格納する閾値格納メモリ（閾値格納手段）５０が接続されている。
【００２７】
表示制御手段として機能する映像音声処理部３８は、受信信号により復調された映像音声信号と、所定映像信号（映像サンプルメモリ４４に格納されている映像例、最新映像メモリ４５に格納されている最新映像あるいはブルーバック画）とを切り替えて出力する信号切替制御手段として動作する。具体的に、映像音声処理部３８は、後に詳しく説明するように、誤り訂正部３４により検出された正受信率ＣＲと、閾値格納メモリ５０に現在設定され格納されている閾値ＴＨを比較し、正受信率ＣＲが閾値ＴＨを上回る値（ＴＨ＞ＣＲ）である場合には、受信信号が復調された映像音声信号を出力し、閾値ＴＨを下回る値（ＣＲ＜ＴＨ）である場合には、最新映像メモリ４５等に格納されている所定映像信号を出力する。
【００２８】
映像音声処理部３８から出力される映像音声信号は、車内配線６０（図１参照）を通じて、映像を表示する前席側と後席側のモニタである表示装置（表示手段）４０（４０Ｆ、４０Ｒ）と、音声を出力する前席側と後席側のスピーカ（音声出力手段）４２（４２ＦＲ、４２ＦＬ、４２ＲＲ、４２ＲＬ）に供給される。
【００２９】
この実施形態に係るデジタル放送受信装置２０を搭載した移動体としての車両１０は、基本的には、以上のように構成されかつ動作するものであり、次に、デジタル放送受信装置２０の詳細な動作について説明する。
【００３０】
図３は、デジタル放送受信機２２を構成する映像音声処理部３８の処理フロー（映像音声処理部３８を構成するＣＰＵが実行する、メモリに記憶されたプログラムの概要）を示している。
【００３１】
ステップＳ１において、システム電源がオン状態とされて、デジタル放送受信装置２０に電源が供給されたとき、ステップＳ２において、最終エンジン停止時（直近エンジン停止時）に放送視聴を行っていたかどうかがフラグにより判定され、最終エンジン停止時に放送視聴を行っていた場合には、ステップＳ３において同じ放送番組（最終表示番組）の映像音声の出力を行う。すなわち、デジタル放送アンテナ２４で受信した放送波がＯＦＤＭ復調部３２で復調され、復調された信号列に対して誤り訂正部３４で誤り訂正され、誤り訂正後の信号列がＭＰＥＧ復調部３６でＭＰＥＧ復調されて映像音声信号として映像音声処理部３８に供給される。そして、映像音声処理部３８から映像信号が表示装置４０に出力されるとともに、音声信号がスピーカ４２に出力されることで、表示装置４０及びスピーカ４２より映像と音声を視聴することができる。
【００３２】
ステップＳ２において、直近エンジン停止時に視聴を行っていなかった場合には、ユーザによる放送視聴の選択操作がなされたときに、ステップＳ４において、現在視聴可能な番組表（電子番組表）の一覧を表示装置４０に出力する。ステップＳ５において、ユーザにより番組表の一覧からチャンネル選択ボタン４８の操作により番組が選択された場合には、ステップＳ６において、選択された番組の映像信号と音声信号を表示装置４０及びスピーカ４２に出力する。
【００３３】
一方、ステップＳ５において、ユーザによる番組の選択がなされなかった場合には、ステップＳ７において、最後に（直近に）視聴された放送局の視聴番組情報が残されているかどうかを確認し、残されていた場合には、ステップＳ３において、その放送曲の現在の番組の映像信号と音声信号を表示装置４０及びスピーカ４２に出力し、残されていなかった場合には、ステップＳ８において、番組表の第１列目に表示されている放送局の現在の番組の映像信号と音声信号を表示装置４０及びスピーカ４２に出力する。
【００３４】
その後、ステップＳ９でのユーザによる閾値設定ダイヤル４６の操作に基づく後述の閾値設定処理が行われ、ステップＳ１０では、その設定閾値ＴＨに基づく後述の映像音声出力処理が行われ、ステップＳ１１でシステム電源がオフ状態にされるまで、ステップＳ９、Ｓ１０の処理が継続される。システム電源がオフ状態にされると、ステップＳ１２において、映像音声出力処理が終了されて、ステップＳ１にもどる。
【００３５】
図４は、ステップＳ９のユーザによる閾値設定処理の詳細フローを示している。
【００３６】
ステップＳ９ａにおいて、ユーザによる閾値変更のために閾値設定ダイヤル４６の操作がなされたかどうかが確認され、閾値設定ダイヤル４６の操作がなされた場合には、ステップＳ９ｂにおいて、その閾値調整（出力調整）を、現在の表示装置４０上の映像表示（現表示番組）により行うのか、あるいは映像サンプルメモリ４４に格納された、閾値ＴＨに応じたサンプル映像による表示装置４０上のサンプル映像表示により行うのかの判断をユーザに求める。
【００３７】
現在の表示番組で行う場合には、ステップＳ９ｄにおいて、閾値設定ダイヤル４６により随時調整される閾値ＴＨにより閾値格納メモリ５０の閾値ＴＨが更新される。なお、閾値ＴＨの表示装置４０上の表示は、正受信率ＣＲの％表示、あるいは、（１）映像品位が落ちても、いつも受信映像を表示する、（２）映像品位が落ちてきたら早めに、受信映像に代えて、最新映像メモリ４５に格納されている最新の静止画映像を表示する、（３）受信品位が落ちてきても、受信映像の内容が不明となるまでは、最新映像メモリ４５に格納されている最新の静止画映像に切り替えない、（４）受信品値が落ちてきて、受信映像の内容が不明となったときに、ブルーバック画に切り替える等、ユーザが選択し易い表示とする。
【００３８】
一方、ステップＳ９ｂにおいて、サンプル映像表示により閾値ＴＨを調整することが選択された場合、映像サンプルメモリ４４に格納されている数種類のサンプル映像が読み出され、表示装置４０上に表示される。
【００３９】
図５は、閾値ＴＨ１（正受信率ＣＲ１）〜閾値ＴＨ４（正受信率ＣＲ４）に対応したサンプル映像２０１〜２０４の例を示している。閾値ＴＨの大小関係は、ＴＨ１＞ＴＨ２＞ＴＨ３＞ＴＨ４であり、正受信率ＣＲの大小関係は、ＣＲ１＞ＣＲ２＞ＣＲ３＞ＣＲ４である。閾値ＴＨが大きいほど（正受信率ＣＲの値が大きいほど）、ブロックノイズ出現比率の少ない映像（動画）となり、閾値ＴＨが小さいほど（正受信率ＣＲの値が小さいほど）、ブロックノイズの出現比率の多い映像（動画）となる。
【００４０】
これらのサンプル映像２０１〜２０４のいずれかが、閾値設定ダイヤル４６を利用して選択されとき、ステップＳ９ｄにおいて、該当する閾値ＴＨにより閾値格納メモリ５０の閾値ＴＨが更新される。
【００４１】
図６は、ステップＳ９でのユーザの閾値設定ダイヤル４６の操作により設定された閾値ＴＨに基づくステップＳ１０の映像音声出力処理の詳細フローを示している。
【００４２】
図７は、設定閾値ＴＨに対する正受信率ＣＲの時間的変化により変化する映像表示例の模式的説明図である。
【００４３】
図７の最上段の特性図は、時間軸上での正受信率ＣＲの変化を示しており、中央段の図は、設定閾値ＴＨ１での映像表示例、下段の図は、設定閾値ＴＨ４での映像表示例をそれぞれ模式図で示している。
【００４４】
ステップＳ１０ａにおいて、誤り訂正部３４から供給されている正受信率ＣＲが、ユーザ設定閾値ＴＨを下回った場合には、ステップＳ１０ｂにおいて、そのユーザ設定閾値ＴＨと初期設定閾値（デフォルト値）ＴＨｄ（ＴＨ１＞ＴＨｄ＞ＴＨ４）との大小を比較する。
【００４５】
ユーザ設定閾値ＴＨが初期設定閾値ＴＨｄよりも低い値、例えば、図７に示すように、ユーザ設定閾値ＴＨ４であった場合には、現在の正受信率ＣＲが初期設定閾値ＴＨｄよりも低いユーザ設定閾値ＴＨ４を下回っているのであるから、これ以上の表示は困難と判断し、ステップＳ１０ｃでブルーバック画を表示装置４０に出力する（時点ｔ３〜ｔ４間の閾値ＴＨ４でのダブルハッチングで描いたブルーバック画映像表示例参照）。なお、ステップＳ１０ｃでは、前フレームの静止画を出力するようにしてもよい。
【００４６】
一方、ステップＳ１０ｂにおいて、ユーザ設定閾値ＴＨが初期設定閾値ＴＨｄよりも高い値、例えば、図７に示すように、ユーザ設定閾値ＴＨ１であった場合には、ステップＳ１０ｄにおいて、正受信率ＣＲが１００％でかつ直近に最新映像メモリ４５に更新され格納された静止画を読み出して表示装置４０に出力する（時点ｔ２〜ｔ５間の閾値ＴＨ１での静止画映像表示例参照）。
【００４７】
一方、ステップＳ１０ａにおいて、誤り訂正部３４から供給されている正受信率ＣＲが、ユーザ設定閾値ＴＨを上回って場合には、ステップＳ１０ｅにおいて、正受信率ＣＲが１００［％］かどうかが判断され、正受信率ＣＲが１００［％］であった場合には、ステップＳ１０ｆにおいて、最新映像メモリ４５の静止画の内容をその正受信率ＣＲが１００［％］の最新映像の静止画により順次更新する。
【００４８】
そして、ステップＳ１０ｇでは、受信信号をＭＰＥＧ復調した正受信率１００［％］の映像信号（動画）と音声信号を表示装置４０とスピーカ４２に出力する（図７において、時点ｔ０〜ｔ１、時点ｔ６〜ｔ７、時点ｔ１０〜ｔ１１の各一定期間参照）。
【００４９】
また、ステップＳ１０ｅにおいて、正受信率ＣＲが１００［％］未満の値であった場合には、ステップＳ１０ｈにおいて、ブロックノイズを含む映像信号（動画）をそのまま表示装置４０に出力する。
【００５０】
このように、図７の閾値ＴＨ１（ＴＨ１＞ＴＨｄ）での映像表示例を説明すれば、時点ｔ０〜ｔ２間では、正受信率ＣＲが閾値ＴＨ１を上回っているので、動画「Ａ」、動画「Ｂ」が表示され、時点ｔ２〜ｔ５間では、正受信率ＣＲが閾値ＴＨ１を下回っているので、時点ｔ１で最新映像メモリ４５に格納されている直近の静止画「Ｂ」が表示される。時点ｔ５〜ｔ８では、正受信率ＣＲが閾値ＴＨ１を再び上回っているので、動画「Ｃ」、動画「Ｄ」が表示され、時点ｔ８〜ｔ９間では、正受信率ＣＲが閾値ＴＨ１を下回ったので、時点ｔ７で最新映像メモリ４５に格納されている直近の静止画「Ｄ」が表示される。同様に、時点ｔ９〜ｔ１２では動画「Ｅ」、「Ｆ」が表示され、時点ｔ１２以降では時点ｔ１１で格納された直近の静止画「Ｆ」が表示される。
【００５１】
また、図７の閾値ＴＨ４（ＴＨ４＜ＴＨｄ）での映像表示例を説明すれば、時点ｔ０〜ｔ３間では、正受信率ＣＲが閾値ＴＨ４を上回っているので、動画「Ａ」、動画「Ｂ」が表示されるが、時点ｔ２以降では、正受信率ＣＲの低下に応じてブロックノイズの多くなる動画「Ｂ」が表示される。時点ｔ３〜ｔ４では、正受信率ＣＲが初期設定閾値ＴＨｄよりも小さい閾値ＴＨ４を下回っているので、ブルーバック画が表示される。時点ｔ４〜ｔ１２間では、正受信率ＣＲが閾値ＴＨ４を上回っているので、正受信率ＣＲに対応した動画「Ｂ」〜動画［Ｆ］が表示される。
【００５２】
このように図６例の処理フローに基づく、図７の表示例によれば、閾値ＴＨの基準を一定時間に対する映像情報を構成するフレーム（パケット）の正常割合を指標とした正受信率ＣＲに設定している。
【００５３】
そして、正受信率ＣＲが設定閾値ＴＨより高い場合には、良好な状態で映像（動画）を表示し続け、正受信率ＣＲが設定閾値ＴＨより低下した場合には、一時的に映像（動画）表示を止めて、ブロックノイズ等のエラーの少ないもしくはエラーの全くない静止画を表示するようにしている。この場合、閾値ＴＨを比較的に小さい値に設定すれば、正受信率ＣＲが悪化して映像が乱れていても映像（動画）を表示し続けることを意味し、比較的に大きい値に設定すれば、映像の乱れ始めの状態で映像（動画）を止めて高品質の静止がを表示することを意味する。
【００５４】
正受信率ＣＲが高い場合には、設定閾値ＴＨ１、ＴＨ４に拘わらず、ノイズのほとんど無い映像（動画）を表示することができる。徐々に正受信率ＣＲが低下していくにつれて、大きい閾値ＴＨ１を設定している場合の映像は早いタイミングでノイズのほとんど無い（全く無い）静止画を表示し始め、再び、正受信率ＣＲが閾値ＴＨ１を上回るまで、静止画を表示する状況を保持する。一方、小さい閾値ＴＨ４を設定している場合の映像はある程度のノイズが発生した状況でもそのまま映像（動画）の表示を続け、閾値ＴＨ４を下回った段階で静止画の表示を行う。この静止画については、全く映像（動画）が判読不能な状態までなってしまえば、ブルーバック画表示としてもよいし、全くエラーの無い状態の静止画の更新を常に続ける最新映像メモリ４５から、閾値ＴＨ４を下回った段階で最新のエラーを含まない静止画を読み出して表示するようにしてもよい。
【００５５】
なお、音声については、閾値ＴＨの上下に拘わらず常に出力することにしている。
【００５６】
このように上述した実施形態によれば、受信状況が不安定な状況となったとき、受信品位値としての正受信率ＣＲが閾値ＴＨを上回ったときにのみ表示装置４０へ受信信号を復調した映像音声信号出力する、その閾値ＴＨをユーザが外部より閾値設定ダイヤル４６を操作することにより変更設定可能に構成しているので、ユーザ個々の好みに応じた視聴が可能になる。
【００５７】
上述した実施形態においては、ユーザが設定した閾値ＴＨは、ユーザが閾値設定ダイヤル４６を操作して再設定しない限り、固定値となっている。次に、説明する他の実施形態では、閾値ＴＨを固定しないで、映像音声処理部３８により、例えば映像品位として動画表示率（動画表示時間／（動画表示時間＋それ以外の所定映像信号、例えば高品位の直近の静止画映像信号による静止画映像表示時間）のような指標を設定し、この指標（以下、映像品位レベルＶＱという。）をユーザが設定操作できるようにすることで、ユーザが好む動画表示率、通常の場合には、受信信号出力比率（復調受信信号の出力時間／全受信時間）となるように閾値ＴＨを自動的に調整することができる。
【００５８】
図８は、この他の実施形態に係る映像品位設定に基づく閾値自動変更の処理フローを示す。なお、この図８例において、ユーザが表示装置４０上の表示を見ながら図示しない入力装置を所定操作することで、上述した閾値設定ダイヤル４６の機能が、動画表示率設定ダイヤル４６Ａの機能に変更されているものとする。もちろん、専用の受信信号表示率設定手段としての動画表示率設定ダイヤル（品位設定ダイヤルともいう。）４６Ａを設けることもできる。
【００５９】
図８において、システム電源オンのステップＳ１〜Ｓ８までの処理内容、及びステップＳ１０〜Ｓ１２の処理内容は、図３の処理フローと同一であるので説明を省略する。ステップＳ９０のユーザによる映像品位設定ステップ及びステップＳ２１〜Ｓ２４の閾値ＴＨの自動調整ステップが異なっている。
【００６０】
図９は、ユーザによる映像品位設定ステップＳ９０の詳細フローを示している。
【００６１】
ステップＳ９０ａにおいて、ユーザによる映像品位（動画表示率）設定のために動画表示率設定ダイヤル４６Ａの操作がなされたかどうかが確認され、動画表示率設定ダイヤル４６Ａの操作がなされた場合には、ステップＳ９０ｂにおいて、その品位調整（自動閾値調整）を、現在の表示装置４０上の映像表示（現表示番組）により行うのか、あるいは映像サンプルメモリ４４に格納された、映像品位レベルに対応した動画サンプル映像による表示装置４０上の動画サンプル映像表示により行うのかの判断をユーザに求める。
【００６２】
現在の表示番組で行う場合には、ステップＳ９０ｄにおいて、動画表示率設定ダイヤル４６Ａにより随時調整される映像品位レベルＶＱ（動画表示率）に基づいた、後述するステップＳ２１の処理に基づく番組表示を行う。
【００６３】
一方、動画サンプル映像表示により映像品位レベルＶＱを調整することを選択した場合、映像サンプルメモリ４４に格納されている数種類の動画サンプル映像が読み出され、図１０に示す映像品位レベル表の動画表示率に基づいた数種類の動画サンプル映像が表示装置４０上に表示される。
【００６４】
動画表示率とは、上述したように、動画表示率＝動画表示時間／（動画表示時間＋それ以外の所定映像信号による表示時間）により定義される。ここで、それ以外の所定映像信号とは、直近の静止画やブルーバック画を意味するので、動画表示率が９０［％］以上の動画サンプル映像は、例えば、１０秒間の動画中に、０．１秒の静止画をランダムに１０回含む映像とする。同様に、動画表示率が７５［％］以上の動画サンプル映像は、１０秒間の動画中に、０．２５秒の静止画をランダムに１０回含む映像とする。動画表示率が５０［％］以上の動画サンプル映像は、１０秒間の動画中に０．５秒の静止画をランダムに５回含む映像とする。表示装置４０上に表示されるこれら３つの映像例を見ながらユーザが許容する映像品位レベルＶＱ１、ＶＱ２、ＶＱ３のいずれかを選択する。
【００６５】
次いで、ステップＳ２１において、現在設定されている閾値ＴＨでの動画表示率を算出する。図７の中段の映像表示例での動画表示率は、約４０％であり、下段の映像表示例での動画表示率は、約９０％である。
【００６６】
次に、ステップＳ２２において、算出した動画表示率が現在設定されている映像品位レベル相当の動画表示率になっているかどうかを比較し、算出値が設定映像品位レベルの動画表示率を上回っている場合には、ステップＳ２３において、閾値ＴＨを所定量大きい値に修正し、下回っている場合には、ステップＳ２４において、閾値ＴＨを所定量小さい値に修正する。閾値ＴＨを修正したときには、閾値格納メモリ５０に格納されている閾値ＴＨを修正閾値ＴＨに更新する。
【００６７】
次いで、ステップＳ１０で、上述した閾値に基づく映像音声出力処理が行われる。
【００６８】
この図８例のフローに沿って閾値ＴＨを設定映像品位レベル、すなわち設定動画表示率に応じて自動修正（自動変更）するように構成することで、動画表示率を一定以上にすることができ、ユーザニーズに適合したデジタル放送番組の視聴を可能とすることができる。
【００６９】
上述した実施形態では、車両１０に搭載されたデジタル放送受信装置２０について、ユーザにより閾値ＴＨの設定や受信品位レベルの設定を閾値設定ダイヤル４６又は動画表示率設定ダイヤル４６Ａの操作により行えるようにしているが、これらは、番組コンテンツ毎に個別に設定することも可能であり、例えばスポーツ番組等、動きの激しい映像では、手動あるいは自動で極力閾値ＴＨを下げるように設定し、動きのそれほど多くない番組コンテンツについては閾値ＴＨを上げるように設定してノイズの少ない静止画を多くするように設定するようにすることで、よりユーザニーズに適合した視聴を行うことが可能となる。
【００７０】
さらに、上述した実施形態においては、車両１０に搭載されたデジタル放送受信装置２０について説明しているが、この発明は、これに限らず、携帯向け１セグメント放送を受信して表示及び音声出力可能なデジタル放送受信機を内蔵する携帯電話等の携帯端末にも適用できることはもちろんである。
【００７１】
以上説明したように、上述した実施形態によれば、受信状況が不安定な状況となったとき、映像音声処理部３８が、正受信率ＣＲ等の受信品位値が閾値ＴＨを上回ったときにのみ表示装置４０へ復調された受信信号である映像信号出力する、その閾値ＴＨを閾値設定ダイヤル４６の操作によりユーザが設定可能に構成しているので、ユーザ個々の好みに応じた視聴が可能になる。
【００７２】
また、受信品位値としてユーザが動画表示率設定ダイヤル４６Ａを操作して動画表示率を設定したときには、映像音声処理部３８が、設定動画表示率となるように閾値ＴＨを自動調整しているので、ユーザ個々の好みに応じた動画視聴率での視聴が可能となる。
【００７３】
なお、この発明は、上述した実施形態に限らず、この明細書の記載内容に基づき、種々の構成を採り得ることはもちろんである。
【図面の簡単な説明】
【００７４】
【図１】この発明の一実施形態に係るデジタル放送受信装置が搭載された車両の一部省略構成図である。
【図２】この発明の一実施形態に係るデジタル放送受信装置のブロック図である。
【図３】デジタル放送受信装置の動作説明に供されるフロー図である。
【図４】ユーザによる閾値設定処理の動作説明に供されるフロー図である。
【図５】閾値に応じた複数映像表示例の説明図である。
【図６】閾値に基づく受信映像表示処理の動作説明に供されるフロー図である。
【図７】閾値に基づく受信映像表示処理の動作説明に供されるシーケンス図である。
【図８】他の実施形態に係る映像品位設定処理の動作説明に供されるフロー図である。
【図９】ユーザによる映像品位設定処理の動作説明に供されるフロー図である。
【図１０】映像品位レベル表の説明図である。
【符号の説明】
【００７５】
１０…車両                            ２０…デジタル放送受信装置
２２…デジタル放送受信機              ３４…誤り訂正部
３８…映像音声処理部                  ４０…表示装置
４４…映像サンプルメモリ              ４５…最新映像メモリ
４６…閾値設定ダイヤル                ４６Ａ…動画表示率設定ダイヤル
【図１】
2006295663.tif 000003
【図２】
2006295663.tif 000004
【図３】
2006295663.tif 000005
【図４】
2006295663.tif 000006
【図５】
2006295663.tif 000007
【図６】
2006295663.tif 000008
【図７】
2006295663.tif 000009
【図８】
2006295663.tif 000010
【図９】
2006295663.tif 000011
【図１０】
2006295663.tif 000012